(57)【要約】【課題】本発明の情報処理端末は、容量の異なるバッテリが装着された場合に、従来より詳細にバッテリ残量表示を行って、使用者の利便性を向上させる。【解決手段】本体２におけるバッテリ判別部２３が、バッテリ４におけるバッテリ種別出力部４３が出力する信号を読み取って、容量が異なる２種のバッテリのうちいずれが装着されているかを判別し、電圧測定部２２が、セル部４１の出力電圧値を測定し、閾値決定部２４が前記判別結果に基づき閾値を得て、判定部２０が、前記出力電圧値と前記閾値とを用いた判定により、表示すべき電池アイコンを決定する。表示される電池アイコンは、大容量バッテリについては電池バーを最大４本含み、通常容量バッテリについては電池バーを最大３本含む。前記決定に基づき、表示生成部１９が、表示部２５に電池アイコンを表示させる。【選択図】図２
2008178214.tif 000002
【特許請求の範囲】
【請求項１】
装着されているバッテリの残量を示すアイコンを表示部に表示させる情報処理端末であって、
容量が異なる複数種のバッテリのうち何れのバッテリが装着されているかを判別する判別手段と、
装着されているバッテリについて、前記複数種についての各バッテリ間のバッテリ容量の差分を反映した前記アイコンを表示部に表示させる表示制御手段と
を備えることを特徴とする情報処理端末。
【請求項２】
装着されているバッテリの残量を測定する測定手段を備え、
前記複数種のバッテリそれぞれについて、出力電圧の範囲をバッテリの種別毎に異なる区分数に区分するための情報を判定情報とし、
前記表示制御手段は、記憶部に記憶させた前記判定情報に基づいて、前記測定された残量について前記装着されているバッテリに対応する区分数を反映した前記アイコンを前記表示部に表示させる
ことを特徴とする請求項１に記載の情報処理端末。
【請求項３】
前記判定情報は、隣接する区分の境界それぞれを示す境界値を含んでおり、
前記複数種の種の数は自然数ｎであり、前記ｎよりも小さな任意の自然数をｊとし、
ｎ種の前記バッテリのうちのｊ番目に容量の小さいバッテリである第ｊバッテリについての全境界値が、第ｊ＋１バッテリについての境界値に含まれており、
前記第ｊ＋１バッテリについての境界値は、前記全境界値の他に前記全境界値の最大値よりも大きな値の境界値のみを含んでいる
ことを特徴とする請求項２に記載の情報処理端末。
【請求項４】
前記判定情報は、隣接する区分の境界それぞれを示す境界値を含んでおり、
前記各境界値は、自端末の消費電力が全区分にわたり同一とした場合に、各区分における最大電圧から最低電圧まで放電する期間が均等になるよう設定されている
ことを特徴とする請求項２に記載の情報処理端末。
【請求項５】
前記アイコンは、少なくとも前記残量を示すための画像を含んだ複数個の画像で構成されており、
前記複数種の種の数は自然数ｎであり、前記ｎよりも小さな任意の自然数をｊとし、
前記表示制御手段は、前記残量に応じて前記残量を示すための画像の個数を変更するものであり、前記ｎ種のバッテリのうちｊ＋１番目に容量の小さい第ｊ＋１バッテリについて前記残量を表示する場合には、前記残量を示すための画像の個数を第ｊバッテリについて前記残量を表示する場合よりも多く用いた態様にて、前記アイコンを前記表示部に表示させる
ことを特徴とする請求項１に記載の情報処理端末。
【請求項６】
前記複数種の種の数は自然数ｎであり、前記ｎよりも小さな任意の自然数をｊとし、
前記表示制御手段は、前記ｎ種のバッテリのうちｊ＋１番目に容量の小さい第ｊ＋１バッテリについて前記残量を表示する場合には、前記アイコンの大きさを前記第ｊバッテリについて前記残量を表示する場合よりも大きく表示させる
ことを特徴とする請求項１に記載の情報処理端末。
【請求項７】
前記複数種の種の数は自然数ｎであり、前記ｎよりも小さな任意の自然数をｊとし、
前記アイコンは、ｎ個のアイコンから成り、
前記表示制御手段は、ｎ種の前記バッテリのうちのｊ番目に容量の小さいバッテリである第ｊバッテリについて前記残量を表示する場合には、ｎ個のアイコンのうちｊ個のアイコンを用いて前記残量の表示を行う
ことを特徴とする請求項１に記載の情報処理端末。
【請求項８】
前記複数種の各バッテリは異なる機構を備え、
前記判別手段は、前記機構の相違に基づき何れのバッテリが装着されているかを判別する
ことを特徴とする請求項１に記載の情報処理端末。
【請求項９】
前記複数種は２種である
ことを特徴とする請求項１から８の何れかに記載の情報処理端末。
【請求項１０】
前記複数種は２種であり、
前記表示制御手段は、第１バッテリについては前記アイコンとして１個のアイコンを用いて前記残量の表示を行い、第２バッテリについては前記アイコンとして２個以上のアイコンを用いて前記残量の表示を行う
ことを特徴とする請求項１に記載の情報処理端末。
【請求項１１】
他の情報処理端末と通信を行う通話手段と、
前記表示部と
を備えることを特徴とする請求項１に記載の情報処理端末。
【請求項１２】
装着されているバッテリの残量を示すアイコンを表示部に表示させる表示制御方法であって、
容量が異なる複数種のバッテリのうち何れのバッテリが装着されているかを判別する判別ステップと、
装着されているバッテリについて、前記複数種についての各バッテリ間のバッテリ容量の差分を反映した前記アイコンを表示部に表示させる表示ステップと
を含むこと特徴とする表示制御方法。
【発明の詳細な説明】
【技術分野】
【０００１】
本発明は、情報処理端末に係るバッテリの残量表示に関するものである。
【背景技術】
【０００２】
携帯電話機等の情報処理端末は、バッテリの残量を示すアイコンを画面に表示する。その情報処理端末の使用者は、前記情報処理端末が使用可能な残時間を判断する目安とする。前記情報処理端末に装着可能なバッテリには、アルカリ電池、リチウムイオン電池などの種類があり、特許文献１に開示された情報処理端末においては、装着されたバッテリが前記種類のいずれであるかを識別し、識別したバッテリの種類に対応した形式でバッテリ残量情報をＬＣＤ（Ｌｉｑｕｉｄ  Ｃｒｙｓｔａｌ  Ｄｉｓｐｌａｙ）に表示している。これにより、ほぼ正確にバッテリ残量を把握できるような種類のバッテリが装着された場合には、バッテリ残量を大まかにしか把握できないような種類のバッテリが装着された場合に比べてきめ細やかなバッテリ残量表示を行うことができる。
【特許文献１】特開２００１−２１８０８４号公報
【発明の開示】
【発明が解決しようとする課題】
【０００３】
しかしながら、バッテリには通常のバッテリと同種類（例えばリチウムイオン電池）であるがバッテリ容量が大きいなど種別の異なるバッテリがあり、通常のバッテリとは種別の異なる前記バッテリが前記情報処理端末に装着されても、表示されるアイコンは通常バッテリについての表示と変わらない。よって、前記情報処理端末の使用者は、装着されているバッテリの種別を区別することができない。
【０００４】
上記の問題に鑑み、本発明は、バッテリが装着された場合に、バッテリの種別を明示し使用者の利便性を向上させることを目的とする。
【課題を解決するための手段】
【０００５】
上記課題を解決するために、本発明は、装着されているバッテリの残量を示すアイコンを表示部に表示させる情報処理端末であって、容量が異なる複数種のバッテリのうち何れのバッテリが装着されているかを判別する判別手段と、装着されているバッテリについて、前記複数種についての各バッテリ間のバッテリ容量の差分を反映した前記アイコンを表示部に表示させる表示制御手段とを備える。
【発明の効果】
【０００６】
本発明の情報処理端末は、上述の構成を備えることにより、複数種についての各バッテリ間のバッテリ容量の差分を反映したアイコンを表示するので、その使用者は複数種のバッテリのうちいずれが装着されているかを一見して判別できる。また、前記使用者はバッテリ容量の違いを把握してバッテリ残量が尽きるまでの残時間を容易に推測することができる。これにより、使用者の利便性は向上する。
【発明を実施するための最良の形態】
【０００７】
以下、本発明の一実施の形態に係る情報処理端末としての携帯電話機１について説明する。
本発明の一実施形態に係る携帯電話機１は、図１に示すようにバッテリ４又はバッテリ３のいずれかが本体２に装着された状態で使用される携帯電話機である。
バッテリ４はいわゆるラージバッテリであり、通常バッテリであるバッテリ３に比べバッテリ容量が大きいため長時間の使用が可能である。
【０００８】
携帯電話機１は、バッテリが使用可能な残り時間の目安を表示するために、バッテリの種別に応じた２種類の電池アイコンを自機が備えるディスプレイに表示する。
携帯電話機１は、バッテリ４が装着された場合に図７（ａ）に示す電池アイコン３０１を表示し、バッテリ３が装着された場合に図７（ｂ）に示す電池アイコン３０２を表示する。
【０００９】
電池アイコン３０１は、電池バー３１１〜３１３の３本の電池バーを含み、電池アイコン３０２は、電池バー３２１〜３２４の４本の電池バーを含む。
電池アイコン３０１において表示される電池バーの本数は最大３本であり、バッテリ容量の減少に伴い表示される電池バーの本数は減少する。電池アイコン３０２についても同様であり、表示される電池バーの本数は最大４本であり、バッテリ容量の減少に伴い表示される電池バーの本数は減少する。
【００１０】
携帯電話機１の使用者は、電池アイコン中に電池バーが４本表示可能なスペースのある電池アイコン３０２がディスプレイに表示されていれば、バッテリ４が装着されており、電池アイコン中に電池バーが３本表示可能なスペースのある電池アイコン３０１が表示されていれば、バッテリ３が装着されていることを容易に認識することができる。
以下、本発明の一実施形態に係る携帯電話機１について、ラージバッテリであるバッテリ４を使用する場合を例として詳細に説明する。
＜構成＞
携帯電話機１は、図２に示すように本体２とバッテリ４とを含んで構成され、具体的には、マイクロプロセッサ、ＲＯＭ、ＲＡＭ、ディスプレイユニット、キーパッド、無線通信ユニット、アンテナから構成されるコンピュータシステムである。前記ＲＡＭにはコンピュータプログラムが記憶されている。前記マイクロプロセッサが前記コンピュータプログラムに従って動作することにより、携帯電話機１はその機能を達成する。
【００１１】
バッテリ４は、本体２に装着された場合に、図２に示すように本体２と電気的に接続した状態となる。接続状態において、ステータスを示す電圧線が接続された端子３４は本体２が備える端子３１と接触し、電源線が接続された端子３５は本体２が備える端子３２と接触し、グランド線が接続された端子３６は本体２が備える端子３３と接触する。
バッテリ４は、図２に示すように、セル部４１、バッテリ種別出力部４３、端子３４〜端子３６を含んで構成される。
【００１２】
バッテリ種別出力部４３は、ラージバッテリであることを示すハイレベル（一例として３．３ボルト）の電位を端子３４を介して出力し、グランド電位を端子３６を介して出力する。
セル部４１に接続されたグランド線は、端子３６に接続されている。また、上記電源線は端子３５に接続されている。そして、充電器（図示せず）とセル部４１とが、端子３６及び端子３５を介して接続された場合には、セル部４１が充電される。本体２とセル部４１とが、端子３６及び３５を介して接続された場合には、セル部４１が本体２に給電する。
【００１３】
ここで、バッテリ３は、以下に示す相違点を除きバッテリ４と同じ構成を備える。第１の相違点は、バッテリ３が備えるセル部４１のバッテリ容量が、バッテリ４が備えるセル部４１のバッテリ容量より小さいことである。第２の相違点は、バッテリ３が備えるバッテリ種別出力部４３が、通常バッテリを示すローレベルの電位を出力することである。
本体２は、図２に示すように、操作受付部１１と、制御部１２と、アンテナ１３と、無線部１４と、音声処理部１５と、音声出力部１６と、音声入力部１７と、記憶部１８と、表示生成部１９と、判定部２０と、電源部２１と、電圧測定部２２と、バッテリ判別部２３と、閾値決定部２４と、表示部２５と、端子３１〜端子３３とを含んで構成される。
【００１４】
操作受付部１１は、通常の携帯電話機に備わっているキーパッド及び制御回路（図示せず）を備えている。前記キーパッドは、オンフックキー、オフフックキー及び通話先の電話番号を入力するためのテンキーといった通話を行うのに必要なキーを含んでいる。上記制御回路は、上記各キーが押下されたことを検出する。更に、上記制御回路は、押下されたキーに応じた指示を制御部１２に対し送信する。
【００１５】
制御部１２は、ＣＰＵ及びその制御ソフト等を含んで構成されており、操作受付部１１から指示を受け付けて当該指示に基づいて携帯電話機１の全体動作を制御する。
無線部１４は、アンテナ１３を介して、通話及びデータ通信のための無線通信を基地局（図示せず）との間で行う。具体的には、無線部１４は、無線通信により基地局から信号を受信し、受信した信号を復調することによりベースバンド信号を得て当該ベースバンド信号を音声処理部１５に出力する。また、無線部１４は、音声処理部１５から受信するベースバンド信号を変調してアンテナ１３を介して基地局に送信する。
【００１６】
音声出力部１６は、音声信号を音声として拡声するスピーカである。
音声入力部１７は、入力される音声を音声信号へと変換して音声処理部１５に出力するマイクロフォンである。
音声処理部１５は、無線部１４からベースバンド信号を受信し、当該ベースバンド信号を音声信号に変換して音声出力部１６に出力する。また、音声処理部１５は、音声入力部１７から音声信号を受信し、当該音声信号をベースバンド信号に変換して無線部１４に出力する。
【００１７】
電源部２１に接続されたグランド線は、端子３３に接続されている。また、前記電源線は、端子３２に接続されている。そして、電源部２１は、セル部４１から端子３２及び端子３３を介して電源供給を受けて、本体２における電源供給が必要な他の構成要素に対して電源を供給する。
電圧測定部２２は、端子３２及び端子３３を介してセル部４１が供給する電源電圧を測定し、測定した電圧値をバッテリ電圧値として判定部２０に対し出力する。
【００１８】
バッテリ判別部２３に接続されたグランド線は、端子３３に接続されている。また、バッテリ判別部２３に接続されたステータスの入力を受け付ける電圧線は、端子３１に接続されている。当該構成により、バッテリ判別部２３は、まず、バッテリ種別出力部４３が出力する電圧がハイレベルかローレベルのいずれであるかを検出する。検出結果がハイレベルであった場合、バッテリ判別部２３は、装着されたバッテリの種別がラージバッテリであると判断する。そして、この場合、バッテリ判別部２３は、装着されたバッテリがラージバッテリであることを示す値（ここでは、１）を、閾値決定部２４に対して出力する。一方、検出結果がローレベルであった場合、バッテリ判別部２３は、装着されたバッテリの種別が通常バッテリであると判断する。そして、この場合、バッテリ判別部２３は、装着されたバッテリの種別が通常バッテリであることを示す値（ここでは、０）を、閾値決定部２４に対して出力する。
【００１９】
閾値決定部２４は、バッテリ判別部２３から受信した前記値に応じた後述する閾値数及び閾値群を記憶部１８から読み出し、読み出した閾値数と閾値群とを判定部２０に対して出力する。具体的には、閾値決定部２４は、前記値が０である場合に、閾値数Ａ１と閾値群Ａ２とを記憶部１８から読み出して判定部２０に対して出力し、前記値が１である場合に、閾値数Ｂ１と閾値群Ｂ２とを記憶部１８から読み出して判定部２０に対して出力する。
【００２０】
判定部２０は、電圧測定部２２から受信するバッテリ電圧値と閾値決定部２４により選出された閾値数と閾値群とを用いて、表示すべき電池バーの本数を決定する。
ここで、前記閾値数及び前記閾値群について、記憶部１８に記憶されているデータの構造と共に説明する。なお、閾値数とは、閾値の個数を示した数である。
記憶部１８は、図３（ａ）に示すように、通常バッテリに対応する閾値の個数Ａ１と閾値群Ａ２と、ラージバッテリに対応する閾値の個数Ｂ１と閾値群Ｂ２とを記憶している。
【００２１】
閾値群Ａ２は、閾値の個数Ａ１（本実施形態では３）個の閾値Ａ２１、閾値Ａ２２、閾値Ａ２３を含み、閾値群Ｂ２は、閾値の個数Ｂ１（本実施形態では４）個の閾値Ｂ２１、閾値Ｂ２２、閾値Ｂ２３、閾値Ｂ２４を含んでいる。
閾値の個数は、電池アイコン中に表示する電池バーの最大本数に一致する。
各閾値は、バッテリ電圧値に応じて表示する電池バーの本数を決定するための判定処理の閾値として用いられる。具体的には、バッテリ電圧値が閾値Ａ２１（本実施形態では３．７４）ボルト以上である場合に、表示する電池バーの本数が上記閾値の個数（つまり、Ａ１）本となる。バッテリ電圧値が閾値Ａ２２（本実施形態では３．６８）ボルト以上である場合には、表示する電池バーの本数は上記閾値の個数から１を減じた本数（つまり、Ａ１−１本）となる。同様に、バッテリ電圧値が閾値Ａ２３（本実施形態では３．６４）ボルト以上である場合には、表示する電池バーの本数は上記閾値の個数から２を減じた本数（つまり、Ａ１−２本）となる。
【００２２】
以下、判定部２０の説明に戻る。
判定部２０は、閾値数と閾値群とを閾値決定部２４から取得し、取得した閾値数を内部変数ｉに代入する。また、判定部２０は、電圧測定部２２からバッテリ電圧値を受信して下記（ａ）の処理を行う。
（ａ）判定部２０は、取得した閾値群中の閾値のうち最大値を持つ閾値を選出し、下記（ｂ）の処理を行う。
【００２３】
例えば、閾値群Ｂ２が、値が４．００である閾値Ｂ２１と、値が３．７４２である閾値Ｂ２２と、値が３．６８である閾値Ｂ２３と、値が３．６４である閾値Ｂ２４とを含んでいる場合、判定部２０は、最初に一番大きい値である閾値Ｂ２１を選出する。
（ｂ）判定部２０は、バッテリ電圧値と選出した閾値とを比較する。閾値がバッテリ電圧未満である場合は、下記（ｃ）の処理を行い、閾値がバッテリ電圧以上である場合は、下記（ｄ）の処理を行う。
【００２４】
（ｃ）電池バーの個数としてｉを表示生成部１９に通知して処理を終了する。
（ｄ）内部変数ｉを１デクリメントし、次いでｉが０であるか否かを判定する。ｉが０である場合は、電池バーの個数として０を表示生成部１９に通知して処理を終了する。ｉが０でない場合は、判定に使用した閾値の次に値が大きい閾値を閾値群から選出し、その選出した閾値について上記（ｂ）の処理を行う。
【００２５】
表示生成部１９は、表示部２５に表示すべき画面を示すパネル情報を制御部１２から受信する。更に、表示生成部１９は、受信したパネル情報が示す画面に応じた信号を表示部２５に出力することにより表示部２５に前記画面を表示させる。
表示生成部１９は、待ち受け画像やアンテナレベルを表示部２５に表示させる。更に表示生成部１９は、判定部２０から表示すべき電池バーの個数を示す情報を受け取り、当該受け取った情報に基づいて電池アイコンを表示部２５に表示させる。
【００２６】
表示生成部１９は、表示部２５に電池アイコンを表示させる場合、一例として図７（ｂ）に示す画像を形成する信号を表示部２５に出力する。
電池アイコン３０２中には、４つの電池バーを表示するスペースが予め確保され、ｉ個の電池バーを表示する。例えばｉが３である場合、電池バー３２２、３２３、３２４の３つの電池バーを表示し、電池バー３２１は表示しない。電池バー３２１については表示スペースが確保されているだけである。
【００２７】
表示部２５は、表示生成部１９が出力する赤色出力信号、緑色出力信号、青色出力信号と、水平、垂直の各同期信号とを受け付けて、受け付けた信号に基づいて映像の表示を行う液晶ディスプレイである。
＜動作＞
次に、携帯電話機１におけるバッテリ状態表示処理について、図４のフローチャートを用いて説明する。
【００２８】
まず、携帯電話機１の利用者がバッテリ４を本体２に装着することにより、電源部２１とセル部４１とが電気的に接続し、電源部２１に対してセル部４１が給電している状態となる。また、バッテリ判別部２３とバッテリ種別出力部４３とが電気的に接続する。
バッテリ判別部２３は、バッテリ種別出力部４３が出力する電圧がハイレベルかローレベルのいずれであるかを判定し、ハイレベルであった場合には、値１を閾値決定部２４に対し出力し、ローレベルであった場合には、値０を閾値決定部２４に対し出力する（ステップＳ１２）。
【００２９】
閾値決定部２４は、バッテリ判別部２３から取得した前記値に対応する閾値の個数と閾値群とを記憶部１８から読み出し（ステップＳ１３）、読み出した閾値の個数と閾値群とを判定部２０に対して出力する。具体的には、前記値が１である場合には、閾値の個数Ｂ１と閾値群Ｂ２を読み出し、前記値が０である場合には、閾値の個数Ａ１と、閾値群Ａ２とを読み出す。本実施形態では、閾値決定部２４は閾値数Ｂ１と閾値群Ｂ２とを読み出すことになる。
【００３０】
判定部２０は、閾値の個数と閾値群とを閾値決定部２４から取得し、取得した閾値の個数を変数ｉに代入する（ステップＳ１４）。
次に、電圧測定部２２は、セル部４１が供給するバッテリ電圧を測定し、測定したバッテリ電圧値を判定部２０に出力する（ステップＳ１５）。
判定部２０は、取得した閾値群中の閾値のうち値の大きな閾値から降順に１つ選出する（ステップＳ１６）。
【００３１】
閾値群Ｂ２は、値が４．００である閾値Ｂ２１と、値が３．７４である閾値Ｂ２２と、値が３．６８である閾値Ｂ２３と、値が３．６４である閾値Ｂ２４とを含んでおり、判定部２０は、最初に一番大きい値である閾値Ｂ２１を選出する。
次に、判定部２０は、バッテリ電圧値と選出した閾値とを比較し（ステップＳ１７）、閾値がバッテリ電圧未満である場合（ステップＳ１７：ＮＯ）、電池バーの個数をｉ個とするバッテリ状態表示を行う（ステップＳ１８）。
【００３２】
バッテリ状態表示は、一例として前述した図７（ｂ）の電池アイコン３０２を表示することで行う。
電池アイコン３０２中には、４つの電池バーを表示するスペースが予め確保されｉ個の電池バーを表示する。例えばｉが３である場合、電池バー３２２、３２３、３２４の３つの電池バーを表示し、電池バー３２１は表示しない。電池バー３２１については表示スペースが確保されているだけである。
【００３３】
次に、所定時間のスリープ処理（ステップＳ１９）を行った後、ステップＳ１４の処理を繰り返す。なお、ステップＳ１９の処理は必須ではない。
また、ステップＳ１７における判定処理において、閾値がバッテリ電圧値以上である場合（ステップＳ１７：ＹＥＳ）、変数ｉを１デクリメントして（ステップＳ２０）、ｉが０であるか否かを判定する（ステップＳ２１）。ｉが０である場合（ステップＳ２１：ＹＥＳ）には、後述するステップＳ１８に移行し、ｉが０でない場合（ステップＳ２１：ＮＯ）には、ステップＳ１６に移行する。
＜なお書き＞
なお、本発明について、上記の実施の形態に基づいて説明してきたが、本発明は上記の実施の形態に限定されるものではなく、本発明の要旨を逸脱しない範囲内において種々変更を加え得ることは勿論である。
【００３４】
（１）閾値の設定についての変形例
通常バッテリについての閾値の個数Ａ１、閾値Ａ２１〜閾値Ａ２３及びラージバッテリについての閾値の個数Ｂ１、閾値Ｂ２１〜閾値Ｂ２４は、上述の実施の形態に限定されるものではなく、様々な方法で定め得る。
まず、上述の実施形態における閾値の設定について説明する。
【００３５】
図５のグラフ２００は、バッテリ３を満充電状態から使用開始する場合の放電時間とバッテリ電圧値との関係を簡易に示すグラフである。
上述の実施形態では、図５に示すように、満充電状態から空充電状態になるまでの放電期間である全放電期間の７０％に相当する期間、電池バーが３本表示される設定となっている。全放電期間の７０％が経過した時のバッテリ電圧は３．７４ボルトであり、これが閾値Ａ２１の値として設定されている。
【００３６】
そして前述の全放電期間の７０％が経過した時から更に全放電期間の１５％に相当する期間、電池バーが２本表示される。全放電期間の１５％が経過した時のバッテリ電圧は３．６８ボルトであり、これが閾値Ａ２２の値として設定されている。
そして前述の全放電期間の１５％が経過した時から更に全放電期間の１５％に相当する期間、電池バーが１本表示される。全放電期間の１５％が経過した時のバッテリ電圧は３．６４ボルトであり、これが閾値Ａ２２の値として設定されている。
【００３７】
更にその後、全放電期間に比べ非常に短い時間は電池バーが表示されない。
図５のグラフ２１０は、バッテリ４を満充電状態から使用開始する場合の放電時間とバッテリ電圧値との関係を簡易に示すグラフである。
バッテリ４を使用する場合に電池バーが４本表示されている期間が、バッテリ４とバッテリ３とのバッテリ容量の差分容量が放電する期間に一致するよう設定されている。具体的には、バッテリ電圧が４．０ボルト以上４．２ボルト未満の場合に電池バーが４本表示されるよう設定されている。
【００３８】
そして、バッテリ４使用時に電池バーが３本表示される時間は、バッテリ３使用時に電池バーが３本表示される時間と同じになるよう設定されている。具体的には、バッテリ電圧が３．７４ボルト以上４．０ボルト未満の場合に電池バーが３本表示される。
同様に、バッテリ４使用時に電池バーが２本表示される時間は、バッテリ３使用時に電池バーが２本表示される時間と同じになるよう設定されている。具体的には、バッテリ電圧が３．６８ボルト以上３．７４ボルト未満の場合に電池バーが２本表示される。
【００３９】
また、バッテリ４使用時に電池バーが１本表示される時間は、バッテリ３使用時に電池バーが１本表示される時間と同じになるよう設定されている。具体的には、バッテリ電圧が３．６４ボルト以上３．６８ボルト未満の場合に電池バーが１本表示される。
図５に示した設定によれば、バッテリ３を使用した場合、満充電状態から全放電期間の７０％が経過するまでディスプレイに電池バーが３本表示され、全放電期間のさらに１５％が経過するまで電池バーが２本表示され、全放電期間のさらに１５％が経過するまで電池バーが１本表示され、電池バーが表示されなくなると全放電期間に対し短い期間でバッテリ切れとなる。電池バーが３本表示される期間を、他の本数表示するよりも長くしているため、バッテリが長持ちするような心理的効果を使用者に与える設定となっている。
【００４０】
また、バッテリ４を使用した場合に電池バーが３本表示される時間は、バッテリ３を使用した場合に電池バーが３本表示される時間と同じになり、同様に電池バーが２本、１本表示される時間についても、バッテリ４を使用した場合とバッテリ３を使用した場合とでは同じとなる。
使用者にとっては、電池バーが３本表示されてからは、バッテリ４とバッテリ３のいずれが装着されているかを意識せず、バッテリの容量が尽きるまでの残時間を認識することができる。
【００４１】
次いで、本変形例における閾値の設定について説明する。
図６のグラフ２２０は、本変形例におけるバッテリ３を満充電状態から使用開始する場合の放電時間とバッテリ電圧値との関係を簡易に示すグラフである。
バッテリ３を満充電状態から使用する場合に、電池バーが３本表示されている時間と、電池バーが２本表示されている時間と、電池バーが１本表示されている時間とがほぼ等しくなるよう閾値が設定されている。
【００４２】
また、図６のグラフ２３０は、本変形例におけるバッテリ４を満充電状態から使用開始する場合の放電時間とバッテリ電圧値との関係を簡易に示すグラフである。
バッテリ４を満充電状態から使用する場合に、電池バーが４本表示されている時間と、電池バーが３本表示されている時間と、電池バーが２本表示されている時間と、電池バーが１本表示されている時間とがほぼ等しくなるよう閾値を設定している。
【００４３】
以上説明したように図５の場合と異なり、電池バーの表示が１本減るのに要する時間が、どの電池バーについてもほぼ均等である。よって本変形例に係る携帯電話機の使用者は、図５に示した場合に比べてバッテリの残容量をより正確に知ることができる。
なお、上述の各閾値は、自装置における消費電力が、電池バーを４本〜１本表示している全ての期間及び電池バーを表示していない期間にわたり同一とした場合について定められたものである。
【００４４】
（２）電池アイコン表示についての変形例
図７（ａ）は、本体２に通常バッテリであるバッテリ３を装着した場合に表示部２５に表示する電池アイコンの例である。
通常バッテリに対応する電池アイコン３０１中には、３つの電池バーを表示するスペースが予め確保され、バッテリ電圧に応じたｉ個の電池バーを表示する。
【００４５】
例えばｉが３である場合、電池バー３１１、３１２、３１３の３つの電池バーを表示し、ｉが２である場合、電池バー３１１は表示せず、電池バー３１２、３１３の２つの電池バーを表示する。ｉが２である場合には、電池バー３１１については表示スペースが確保されているだけである。
バッテリ３に代えて、本体２にラージバッテリであるバッテリ４が装着された場合には、表示部２５は表示生成部１９の指示に従い、電池アイコン３０１に代えて図７（ｂ）に示す電池アイコン３０２を表示する。
【００４６】
ラージバッテリに対応する電池アイコン３０２中には、４つの電池バーを表示するスペースが予め確保され、バッテリ電圧に応じたｉ個の電池バーを表示する。
例えばｉが４である場合、電池バー３２１、３２２、３２３、３２４の４つの電池バーを表示し、ｉが３である場合、電池バー３２１は表示せず、電池バー３２２、３２３、３２４の３つの電池バーを表示する。ｉが３である場合には、電池バー３２１については、表示スペースが確保されているだけである。
【００４７】
また、表示部２５には、電池アイコンとして図８（ａ）、（ｂ）の何れかを表示することとしてもよい。
図８（ａ）、（ｂ）は、何れもバッテリ４を装着した場合の表示例である。
図８（ａ）は、電池アイコン３０４における電池バーの個数は通常バッテリと同じ３個としておき、電池アイコン３０４におけるラージバッテリについての電池バー１本の大きさを通常バッテリについての電池バー１本の大きさよりも大きくし、ラージバッテリが装着されていることを利用者に分かり易くするものである。
【００４８】
図８（ｂ）は、電池アイコン３０５として連結した２個の電池をアイコン化し、ラージバッテリが装着されていることを利用者に視覚的に分かり易くしている。
また、表示部２５には、ラージバッテリ装着時の電池アイコンとして図９（ａ）、図９（ｂ）の何れかを表示することとしてもよい。
図９（ａ）の電池アイコン３４１、図９（ｂ）の電池アイコン３５１においては、電池バーの本数を４本とし、更に各電池バーの面積、形を異なるものとしている。
【００４９】
具体的には、各電池バーに対応するバッテリ容量の大きさに応じて表示する電池バーの大きさを変える。
図９（ａ）では、電池アイコン３４１に含まれる電池バーに関し、電池バー３４２の面積が最も大きく、次いで電池バー３４３の面積が大きく、電池バー３４４、電池バー３４５の順に面積が小さくなっていく。
【００５０】
図９（ｂ）では、電池バー３５３の面積が最も大きく、次いで電池バー３５２の面積が大きく、電池バー３５４、電池バー３５５の順に面積が小さくなっていく。
なお、電池アイコンにおける電池バーが消える順番は、一般的な携帯電話機におけるものと同様、紙面に向かって左側から順に消えていくことになる。
図９（ｂ）を例に説明すると、紙面に向かって左側、即ち電池バー３５２、３５３、３５４、３５５の順に表示が消えていく。
【００５１】
（３）上述の実施の形態において、バッテリの残量をディスプレイに表示する際、残量を表示する画像として電池アイコンを表示していたが、これに限らず残量を表示するアイコンその他の画像であってもよい。
（４）上述の実施の形態においては、ラージバッテリであるバッテリ４と通常バッテリであるバッテリ３を使用し、種別の数が２である例で説明したが、バッテリの種別の数は２に限るものではなく３以上であってもよい。
【００５２】
（５）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００５３】
（６）上記実施の形態及び上記変形例をそれぞれ組み合わせるとしてもよい。
（７）特許請求の範囲と実施の形態との対応
特許請求の範囲において、判別手段は実施の形態のバッテリ判別部２３に対応し、表示制御手段は判定部２０と閾値決定部２４と表示生成部１９とに対応し、測定手段は電圧測定部２２に対応し、記憶部は実施の形態の記憶部１８に対応し、表示部は表示部２５に対応する。
【００５４】
特許請求の範囲における残量を示すための画像は、実施の形態における電池バーに対応する。
特許請求の範囲におけるアイコンは、実施の形態における電池アイコン及び電池バーに対応する。電池アイコンは、電池バーを含んで構成される。
特許請求の範囲における第２バッテリは、実施の形態におけるラージバッテリに対応し、特許請求の範囲における「前記アイコンとして２個以上のアイコンを用いて前記残量の表示を行う」との記載は、図８（ｂ）の電池アイコン３０５に対応する。
【産業上の利用可能性】
【００５５】
本発明の情報処理端末は、従来に比べユーザフレンドリな情報処理端末であり、携帯電話機網など公衆回線網の端末として使用される。
【図面の簡単な説明】
【００５６】
【図１】本発明の一実施形態に係る携帯電話機の外観を示す図である。
【図２】本発明の一実施形態に係る携帯電話機の構成を示すブロック図である。
【図３】記憶部により記憶されているデータ構成を示す図である。
【図４】バッテリ状態の表示処理の内容を示すフローチャートである。
【図５】バッテリ電圧及び表示される電池バーの本数と、放電期間との関係を簡単に示す図である。
【図６】変形例に係るバッテリ電圧及び表示される電池バーの本数と、放電期間との関係を簡単に示す図である。
【図７】電池アイコンの一例を示す図である。
【図８】変形例に係る電池アイコンの一例を示す図である。
【図９】バッテリ残量に応じ電池バーの大きさを変更する電池アイコンの一例を示す図である。
【符号の説明】
【００５７】
１      携帯電話機
２      本体
３      バッテリ
４      バッテリ
１１      操作受付部
１２      制御部
１３      アンテナ
１４      無線部
１５      音声処理部
１６      音声出力部
１７      音声入力部
１８      記憶部
１９      表示生成部
２０      判定部
２１      電源部
２２      電圧測定部
２３      バッテリ判別部
２４      閾値決定部
２５      表示部
３１、３２、３３、３４、３５、３６      端子
４１      セル部
４３      バッテリ種別出力部
３０１、３０２、３０４、３０５      電池アイコン
３１１、３１２、３１３      電池バー
３２１、３２２、３２３、３２４      電池バー
３４１      電池アイコン
３４２、３４３、３４４、３４５      電池バー
３５１      電池アイコン
３５２、３５３、３５４、３５５      電池バー
【図１】
2008178214.tif 000003
【図２】
2008178214.tif 000004
【図３】
2008178214.tif 000005
【図４】
2008178214.tif 000006
【図５】
2008178214.tif 000007
【図６】
2008178214.tif 000008
【図７】
2008178214.tif 000009
【図８】
2008178214.tif 000010
【図９】
2008178214.tif 000011